(57)【要約】【課題】  複数のクランプ部材の非直線形の自転車構成部材の端部からの差込みを可能にするとともに、確実かつ堅牢な機能部品の装着と組付け後の盗難の虞れをも解消する。【解決手段】  少なくとも一対のクランプ部材１０、１１により機能部品８を自転車構成部材５に装着する自転車用機能部品クランプ構造において、前記一対のクランプ部材の一方１０を自転車構成部材５の端部から差し込む剛性部材にて構成し、クランプ部材の他方１１をクランプ部材の一方１０が自転車構成部材５を通過できる程度に自転車構成部材５に対し変形または離間できるように構成したことにより、少なくとも一対のクランプ部材１０、１１により、大なる機能部品８であっても確実かつ堅牢に自転車構成部材５に装着でき、しかも、曲部のあるハンドルバー等の自転車構成部材５に対しても、クランプ部材１０、１１をその端部から容易に差し込んで組み付けることが可能となる。【選択図】  図１
2014083903.tif 000002
【特許請求の範囲】
【請求項１】
少なくとも一対のクランプ部材により機能部品を自転車構成部材に装着する自転車用機能部品クランプ構造において、前記一対のクランプ部材の一方を自転車構成部材の端部から差し込む剛性部材にて構成し、クランプ部材の他方をクランプ部材の一方が自転車構成部材を通過できる程度に自転車構成部材に対し変形または離間できるように構成したことを特徴とする自転車用機能部品クランプ構造。
【請求項２】
前記一方のクランプ部材がリング形状あるいはスリット部を有するＣ型形状の剛性部材にて構成するとともに、前記他方のクランプ部材が半割り状の剛性部材からなる分割部材をクランプ部材の本体部側に緊締して構成したことを特徴とする請求項１に記載の自転車用機能部品クランプ構造。
【請求項３】
前記クランプ部材が機能部品の本体部と一体構造にて構成したことを特徴とする請求項２に記載の自転車用機能部品クランプ構造。
【請求項４】
前記一方のクランプ部材がリング形状あるいはスリット部を有するＣ型形状の剛性部材にて構成するとともに、前記他方のクランプ部材が変形可能な素材にて構成したことを特徴とする請求項１に記載の自転車用機能部品クランプ構造。
【請求項５】
前記他方のクランプ部材において、その分割部材のクランプ部材の本体部側への緊締が互いの緊締方向を異ならせた一対の緊締ボルトにより行うように構成したことを特徴とする請求項２または請求項３に記載の自転車用機能部品クランプ構造。
【請求項６】
前記機能部品が電装品であり、前記自転車構成部材がハンドルバーであることを特徴とする請求項１から請求項５のいずれかに記載の自転車用機能部品クランプ構造。
【請求項７】
前記一対のクランプ部材が中央に配置されたハンドルステムを跨いで両側に配置されたことを特徴とする請求項６に記載の自転車用機能部品クランプ構造。
【発明の詳細な説明】
【技術分野】
【０００１】
本発明は、少なくとも一対のクランプ部材により機能部品を自転車用構成部材に装着する自転車用機能部品クランプ構造に関する。
【背景技術】
【０００２】
従来、自転車等の軽車両においては、各種機能部品やモニター装置である表示装置等の電装品がハンドルバーに装着されて、走行中の各種情報が容易に目視にて得られるように構成されている。これらの電装品をハンドルバーに装着するには、電装品に設けられたクランプ部材をハンドルバーに把持・緊締させる等して行われている。一般に、これらのクランプ部材に関して、クランプ部材が金属等の剛性部材により構成された場合には、片持ち梁形式やあるいは緊締ボルト等により緊締される分割部材にてハンドルバーを把持する形態が採用される。また、クランプ部材が合成樹脂等の比較的変形可能な素材にて構成される場合には、スリット部を有するＣ型形状のものが採用される。
【０００３】
下記特許文献１に開示された自転車用中空構造部品が、前記片持ち梁形式の従来例である。この第１従来例を図５を用いて簡単に説明すると、速度に応じて硬軟の切換え等を行うフロントサスペンションの制御ユニットを構成する電装品である制御ユニット１３１は、ハンドルバー１１５に一体形成されたブラケット１５０によって、ハンドルバー１１５に対して片持ち梁形態にて取り付けられている。
【０００４】
また、下記特許文献２に開示された自転車の傘取付支持具は、前記緊締ボルト等により緊締される分割部材にてハンドルバーを把持する形態の従来例である。この第２従来例を図６を用いて説明すると、電装品ではないが、傘等の支持具の支柱２０２等を受け入れるハンドル取付機構２０４において、一対のクランプ部２２３、２２３とこれらのクランプ部２２３と分割された一対の締枠２２７、２２７とでハンドルＭを挟持して、ボルト２２９・・・により緊締させるものである。
【０００５】
さらに、下記特許文献３に開示された自転車用表示装置は、前記クランプ部材が比較的変形可能な素材にて構成され、スリット部を有するＣ型形状の従来例である。この第３従来例を図７を用いて説明すると、ハンドルバー３１５に対して、着脱可能にサイクルコンピュータ３１１が装着された照明装置３１０におけるブラケット３５０を、スリット部を有したＣ型形状のクランプ部材として装着したものである。
【先行技術文献】
【特許文献】
【０００６】
【特許文献１】特開２００５−５３３６３号公報（公報段落〔００３８〕等参照）
【特許文献２】実開平７−２８７９２号公報（要約書等参照）
【特許文献３】特開２００５−２２５４２６号公報（公報段落〔００３０〕等参照）
【発明の概要】
【発明が解決しようとする課題】
【０００７】
前述した前記図５の特許文献１に記載された自転車用中空構造部品に関し、この第１従来例のような片持ち梁形態のものでは、ハンドルバー１１５とブラケット１５０が一体形成されていて盗難の虞れはないものの、比較的軽量の電装品の装着には適するが、大きな表示装置等の電装品には不向きであった。
【０００８】
また、前記図６の特許文献２に記載された自転車の傘取付支持具に関し、この第２従来例のような分割構造のものでは、前記ボルト２２９は容易に取り外せて盗難に遇い易く、部品点数も多くなって組み付けにくくなることが避けられなかった。
【０００９】
さらに、前記図７の特許文献３に開示された自転車用表示装置では、ブラケット３５０はスリット部を有したＣ型形状のクランプ部材としてハンドルバー３１５に装着されることから、比較的柔軟な素材にて構成されることが理解されるが、この第３従来例のようなものでは、前記第２従来例の分割構造のものと同様に、取付ビス３２０を容易に取り外してＣ型形状のクランプ部材を拡開させて容易に持ち去ることが可能であった。
【００１０】
以上述べたような諸課題が存在し、片持ち梁形態の欠点を補うために、少なくとも一対のクランプ部材を用いて大なる電装品をハンドルバーに装着するように構成する必要があり。また、電装品の盗難防止の観点から、クランプ部材をハンドルバーの端部から差し込むように構成して、ハンドルバーの両端部にグリップやブレーキレバー等を装着して組み付けた後はクランプ部材の取外しが困難となり盗難に遇う虞れを解消するとともに、曲部を有するハンドルバーへの複数のクランプ部材の差し込みをも可能にする必要があった。また、電装品によっては、クランプ部材に対して電装品を着脱させて、非使用時には電装品を取り外して盗難を避けるように構成することも行われているが、このような着脱構造では、大きな電装品の装着が不安定になりがちであった。
【００１１】
そこで本発明では、前記従来の電装品等の機能部品のクランプ構造の諸課題を解決して、複数のクランプ部材の非直線形の自転車用構成部材の端部からの差込みを可能にするとともに、確実かつ堅牢な機能部品の装着と組付け後の盗難の虞れをも解消できる自転車用機能部品クランプ構造を提供することを目的とする。
【課題を解決するための手段】
【００１２】
このため本発明は、少なくとも一対のクランプ部材により機能部品を自転車構成部材に装着する自転車用機能部品クランプ構造において、前記一対のクランプ部材の一方を自転車構成部材の端部から差し込む剛性部材にて構成し、クランプ部材の他方をクランプ部材の一方が自転車構成部材を通過できる程度に自転車構成部材に対し変形または離間できるように構成したことを特徴とする。また本発明は、前記一方のクランプ部材がリング形状あるいはスリット部を有するＣ型形状の剛性部材にて構成するとともに、前記他方のクランプ部材が半割り状の剛性部材からなる分割部材をクランプ部材の本体部側に緊締して構成したことを特徴とする。また本発明は、前記クランプ部材が機能部品の本体部と一体構造にて構成したことを特徴とする。また本発明は、前記一方のクランプ部材がリング形状あるいはスリット部を有するＣ型形状の剛性部材にて構成するとともに、前記他方のクランプ部材が変形可能な素材にて構成したことを特徴とする。また本発明は、前記他方のクランプ部材において、その分割部材のクランプ部材の本体部側への緊締が互いの緊締方向を異ならせた一対の緊締ボルトにより行うように構成したことを特徴とする。また本発明は、前記機能部品が電装品であり、前記自転車構成部材がハンドルバーであることを特徴とする。また本発明は、前記一対のクランプ部材が中央に配置されたハンドルステムを跨いで両側に配置されたことを特徴とするもので、これらを課題解決のための手段とする。
【発明の効果】
【００１３】
本発明によれば、請求項１に記載の構成要件である、少なくとも一対のクランプ部材により機能部品を自転車構成部材に装着する自転車用機能部品クランプ構造において、前記一対のクランプ部材の一方を自転車構成部材の端部から差し込む剛性部材にて構成し、クランプ部材の他方をクランプ部材の一方が自転車構成部材を通過できる程度に自転車構成部材に対し変形または離間できるように構成したことにより、少なくとも一対のクランプ部材により、大なる機能部品であっても確実かつ堅牢に自転車構成部材に装着でき、しかも、クランプ部材の他方をクランプ部材の一方が自転車構成部材を通過できる程度に自転車構成部材に対し変形または離間できるように構成してあるので、曲部のある自転車構成部材であっても、その端部から容易に差し込んで組み付けることが可能となる。
【００１４】
また、請求項２に記載の構成要件である、前記一方のクランプ部材がリング形状あるいはスリット部を有するＣ型形状の剛性部材にて構成するとともに、前記他方のクランプ部材が半割り状の剛性部材からなる分割部材をクランプ部材の本体部側に緊締して構成した場合は、一対のクランプ部材が容易に曲部のある自転車構成部材であっても、その端部から差し込んで組み付けられるものでありながら、確実かつ堅牢に機能部品を装着できる。さらに、請求項３に記載の構成要件である、前記クランプ部材が機能部品の本体部と一体構造にて構成した場合は、より高い剛性によって強固に、脱落等の虞れがなく機能部品を自転車構成部材に取り付けることができる。
【００１５】
さらにまた、請求項４に記載の構成要件である、前記一方のクランプ部材がリング形状あるいはスリット部を有するＣ型形状の剛性部材にて構成するとともに、前記他方のクランプ部材が変形可能な素材にて構成した場合は、他方のクランプ部材の変形によって、一対のクランプ部材が容易に曲部のある自転車構成部材であっても、その端部から差し込んで組み付けることができる。また、請求項５に記載の構成要件である、前記他方のクランプ部材において、その分割部材のクランプ部材の本体部側への緊締が互いの緊締方向を異ならせた一対の緊締ボルトにより行うように構成した場合は、上面側に緊締ボルトの頭部を配置して見映えを良くしたり、緊締ボルトの先端の上面への露出による手指の怪我の虞れをなくすことも可能となる他、見えにくい下側に緊締ボルトを配置して、盗難の機会を少なくすること等が可能となる。
【００１６】
さらに、請求項６に記載の構成要件である、前記機能部品が電装品であり、前記自転車構成部材がハンドルバーである場合は、走行中に視認したり操作することが多い機能部品としての電装品等を曲部が形成されたようなハンドルバーにも容易に装着することができて、設計の自由度が高くなる。さらにまた、請求項７に記載の構成要件である、前記一対のクランプ部材が中央に配置されたハンドルステムを跨いで両側に配置された場合は、比較的ストレートなハンドルバーの中央部にて２か所のクランプ部材によって電装品を固定することができ、機能的にも見映え的にもバランスがよくなる。
【図面の簡単な説明】
【００１７】
【図１】本発明の自転車用機能部品クランプ構造の第１実施例を示すもので、機能部品としての電装品がハンドルバーに装着された状態の要部斜視図である。
【図２】同、一対のクランプ部材を備えた電装品を上方から見た斜視図である。
【図３】同、クランプ部材に緊締ボルトが螺合される電装品を上方から見た斜視図である。
【図４】同、電装品を下方から見た斜視図である。
【図５】第１従来例の特許文献１に記載された自転車用中空構造部品の説明図である。
【図６】第２従来例の特許文献２に記載された自転車の傘取付支持具の説明図である。
【図７】第３従来例の特許文献３に記載された自転車用表示装置の説明図である。
【発明を実施するための形態】
【００１８】
以下、本発明の自転車用機能部品クランプ構造の好適な形態を図面に基づいて説明する。本発明の自転車用機能部品クランプ構造は、図１に示すように、少なくとも一対のクランプ部材１０、１１により機能部品（電装品）８を自転車構成部材（ハンドルバー）５に装着する自転車用機能部品クランプ構造において、前記一対のクランプ部材１０、１１の一方１０を自転車構成部材５の端部から差し込む剛性部材にて構成し、クランプ部材の他方１１をクランプ部材の一方１０が自転車構成部材５を通過できる程度に自転車構成部材５に対し変形または離間できるように構成したことを特徴とする。
【実施例１】
【００１９】
図１〜図４は、本発明の自転車用機能部品クランプ構造の第１実施例を示すもので、本実施例では、機能部品が電装品８であり、自転車構成部材がハンドルバー５である場合に適用した実施例である。クランプ部材１０、１１のうち、一方のクランプ部材１０をリング形状あるいはスリット部を有するＣ型形状の金属製や硬質樹脂製等の剛性部材にて構成するとともに、前記他方のクランプ部材が半割り状の同様の金属製や硬質樹脂製等の剛性部材からなる分割部材をクランプ部材の本体部側に緊締して構成するものである。図２に示す例では、クランプ部材１０を、リング状ではなくスリット１３を形成して僅かながらも変形可能に構成したものである。それによって、クランプ部１０をハンドルバー５の端部から差し込んで組み付ける際に、緊締ボルト１５（図３参照）による緊締でクランプ部材１０の内径が縮径して固定される。言うまでもないが、電装品８のクランプ部材１０、１１をハンドルバー５の端部から差し込んで組み付けるのは、少なくとも一方側のグリップ６やブレーキレバー７等（図１参照）が装着される以前の裸の状態のハンドルバー５に対してである。実施例のクランプ部材１０、１１は一対だけ設けられたものを示すが、２以上のクランプ部材により電装品８をハンドルバー５に保持するように構成することを妨げない。その際は、１つを剛性部材によるクランプ部材とし、残余をハンドルバー５に対し変形または離間できるように構成される。ただし、ハンドルバー５の曲部をクリアできる程度の隣接クランプ部材同士を剛性部材とすることもできる。
【００２０】
スリット１３を形成しない剛性リング形状のクランプ部材１０を採用した場合には、クランプ部材１０はハンドルバー５の径よりやや大径の内径に形成したリング状部を構成するとよい。ハンドルバー５に組み付けた後のリング状部の内径とハンドルバー５の外径との間に生じた隙間には、断面三角形のテーパ状のスリット入りシム等が圧入されるとよい。そして、他方のクランプ部材１１としては、半割り状の剛性部材からなる分割部材１２を本体部側のクランプ部材に緊締して構成される。電装品８の本体部９は剛性部材にて構成され、好適には前記一対のクランプ部材１０、１１と一体にて構成され、より高い剛性によって脱落等の虞れなく電装品８をハンドルバー５に取り付けることを可能にする。他方のクランプ部材１１として、組付けの際のハンドルバー５の曲部等に対応させるために変形可能な柔軟性のある合成樹脂製や弾性金属製等の素材を採用する場合は、電装品８の本体部９とは別体にて構成される。前記変形可能な柔軟性のある合成樹脂製や弾性金属製等の素材により他方のクランプ部材１１を構成する場合は、前記一方のクランプ部材１０のようなスリット１３を有するＣ型形状とする等、適宜の形状が採用され得る。また、一対のクランプ部材１０、１１を同じ素材の合成樹脂製等で電装品８の本体ブラケット９と一体に構成した場合でも、リブの追加や薄肉部の形成等で一方のクランプ部材１０を剛性部材に、他方のクランプ部材１１を変形可能に構成することもできる。
【００２１】
図２において、電装品８の上面側には、例えば表示部１６、方向指示部１７、１７、時刻表示部１８等が配設される。表示部１６の用途としては、例えば自転車の後部に配置したカメラと接続されてバックモニターとして自転車の後方を撮影した画像が映し出されるように構成される。時刻表示部１８には、現在の時刻が表示される。図４は電装品を下方から見た斜視図である。電装品８の本体部９と一体にて一方のクランプ部材１０と他方のクランプ部材１１の本体部側が構成されることが明瞭に理解される。符号１７にて示されるのは接続コード取出し用孔である。
【００２２】
図３はクランプ部材に緊締ボルトが螺合される電装品を上方から見た斜視図である。一方のクランプ部材１０は、スリット部１３を有するＣ型形状の剛性部材にて構成され、他方のクランプ部材１１は、半割り状で円弧状の剛性部材からなる分割部材１２をクランプ部材１１の本体側に緊締して構成される。前記一方のクランプ部材１０におけるスリット部１３の対向部には一対の螺筒部１４、１４が形成され、また前記他方のクランプ部材１１における分割部材１２と本体側との対向部にも一対の螺筒部１４、１４が形成される。これらの対向螺筒部１４、１４間に挿入されて各緊締ボルト１５・・が螺合される。
【００２３】
図３にて明瞭に理解されるように、前記他方のクランプ部材１１において、その分割部材１２のクランプ部材の本体部側への緊締が互いの緊締方向を異ならせた一対の緊締ボルト１５、１５により行うように構成され、上面側に緊締ボルト１５の頭部を配置して見映えを良くしたり、緊締ボルト１５の先端の上面への露出による手指の怪我の虞れをなくすことも可能となる他、見えにくい下側にもう一方の緊締ボルト１５が配置され、盗難の機会を少なくすること等を可能にしている。前記一方のクランプ部材１０におけるスリット１３の対向側の螺筒部１４、１４を緊締する緊締ボルト１５の緊締方向も見えにくい下面側から上面側に向かう構成となっている。
【００２４】
このような電装品８におけるクランプ部材１０、１１をハンドルバー５に組み付けるには、少なくとも一方側のグリップ６やブレーキレバー７等（図１参照）が装着される以前の裸の状態のハンドルバー５に対して端部から順次差し込んでいく。通常、ハンドルバー５は、図１に示すように非線形で曲部が形成されており、もし、一対のクランプ部材１０、１１がいずれも変形の殆どない剛性部材により構成されたとすると、所定の間隔を有する一対のクランプ部材１０、１１が同時にハンドルバー５の曲部をクリアして軸方向に沿う移動は不可能になってしまう。そこで、本発明のように、一方のクランプ部材１０を取付剛性と盗難防止機能等を有するリング形状あるいはスリット部を有するＣ型形状の剛性部材にて構成するとともに、他方のクランプ部材１１を半割り状の剛性部材からなる分割部材１２を採用したり、あるいは例えば、柔軟性のある素材等にて構成して、クランプ部材の一方１０が自転車構成部材であるハンドルバー５の曲部を通過できる程度に自転車構成部材であるハンドルバー５に対し変形または離間できるように構成したことにより、一対のクランプ部材１０、１１が同時にハンドルバー５の曲部をクリアして軸方向に沿う移動を可能にするものである。所定の取付位置にて、双方のクランプ部材における対向する螺筒部１４、１４を各緊締ボルト１５により強固に固定して電装品８のハンドルバー５への装着が完了する。
【００２５】
かくして、前記一対のクランプ部材１０、１１がハンドルバー５の中央のストレート部に配置された後、クランプ部材１０、１１間にて、ハンドルステム３が把持緊締具４によりハンドルバー５に把持・緊締され、ハンドルステム３の後端部が把持緊締具２によりフロントホーク１の上端部に把持・固定される。これにより、比較的ストレートなハンドルバー５の中央部にて２か所のクランプ部材１０、１１によって電装品８を固定することができ、機能的にも見映え的にもバランスがよくなり、また、電装品８の配置位置が中央となり表示部１６における表示画面が見易くなる。この状態にて、前述したように、前記一方のクランプ部材１０のスリット部１３の対向螺筒部１４、１４間、および前記他方のクランプ部１１の分割部材１２と本体側との対向部の一対の螺筒部１４、１４間に緊締ボルト１５・・・が螺合されて、確実かつ堅牢に電装品８がクランプ部材１０、１１によってハンドルバー５に取り付けられる。万一、不心得者が電装品８を持ち去ろうとして緊締ボルト１５を取り外しただけでは、一方の剛性部材により構成されたクランプ部材１０の存在により、電装品８をハンドルバー５の径方向に取り外すことが不可能であり、電装品８をハンドルバー５の軸方向に抜くためには、少なくとも、グリップ６、ブレーキレバー７を分解しなければならないことを認識するに至り、時間を要して盗難を断念せざるを得なくなる。
【００２６】
以上、本発明の実施例について説明してきたが、本発明の趣旨の範囲内で、機能部品の形状（実施例のものは四角形であるがこれに限定されない）、形式およびその種類（バックモニターやサイクルコンピュータ、ナビゲーション等の電装品の他、方向指示器、バッグ等の収納袋、バスケット、チャイルドシート、ランプ等の電装品等が考えられる）、自転車構成部材の形状および種類（曲部等の形成形態を含む実施例のハンドルバーの他、ハンドルポスト、各チューブ、各ステー、キャリア等の自転車構成部材に各種機能部品を装着することが考えられる）、クランプ部材の一方の形状（リング状、スリットを有するＣ型形状等）、形式および材質（剛性部材を構成する金属や硬質樹脂等）、クランプ部材の他方の形状（実施例のように、剛性部材からなる半割り円弧状の分割部材を構成したり、あるいは、ヒンジ等により円弧状の分割部材の一端側を軸支して、分割部材の他端側を緊締ボルトにて固定するようにしたり、柔軟性のある合成樹脂製や弾性金属製等の素材を採用する場合は、前記一方のクランプ部材のようなスリットを有するＣ型形状とする等適宜の形状が採用され得る）、クランプ部材の数（一対を好適とするが３以上でも可）、クランプ部材の機能部品本体部への形成形態（一体形成を好適とするが、他方のクランプ部材の素材等を考慮すれば、別体にて適宜の締結形態にて電装品本体部に固定することもできる）、クランプ部材における本体部側への分割部材の緊締ボルトの緊締方向の向きの選定（異なった方向を好適とするが、同方向を妨げるものではない）等については適宜採用できる。また、実施例に記載の諸元はあらゆる点で単なる例示に過ぎず限定的に解釈してはならない。
【産業上の利用可能性】
【００２７】
本発明の自転車用機能部品クランプ構造は、好適には、通常の自転車に適用されるが、運搬車両や自動二輪車等にも適用が可能である。
【符号の説明】
【００２８】
１      フロントホーク
２      把持緊締具
３      ハンドルステム
４      把持緊締具
５      ハンドルバー（自転車構成部材）
６      グリップ
７      ブレーキレバー
８      電装品（機能部品）
９      本体部
１０      第１クランプ部材（一方のクランプ部材）
１１      第２クランプ部材（他方のクランプ部材）
１６      表示部
【図１】
2014083903.tif 000003
【図２】
2014083903.tif 000004
【図３】
2014083903.tif 000005
【図４】
2014083903.tif 000006
【図５】
2014083903.tif 000007
【図６】
2014083903.tif 000008
【図７】
2014083903.tif 000009